(57)【要約】【課題】本発明は、会社等の合併や統合の結果、あるいはいわゆるコーポレイト・アイデンティティー（Ｃ．Ｉ．）の一環として、会社名や銀行名、ロゴマーク、住所等を変更する場合に、所定の期日まで新掲示内容を表示してなる新看板本体を一時的に被覆・隠蔽し、再度足場を組んだり高所作業車を使用したりすることなく所定の期日に一気且つ簡便に旧掲示内容を取り払い、新掲示内容を表示し得る臨時看板を提供することを目的とする。【解決手段】看板本体と、該看板本体を被覆して該看板本体とは異なる掲示内容を一時的に表示するための表示シートと、該表示シートに取り付けられたひも状部材とからなり、前記看板本体と前記表示シートの非表示面の縁の一部とが剥離可能な強粘着剤によって貼着されてなり、かつ前記剥離可能な強粘着剤によって貼着されていない部分を有することを特徴とする臨時看板。【選択図】      図１
2004157264.tif 000002
【特許請求の範囲】
【請求項１】
看板本体と、該看板本体を被覆して該看板本体とは異なる掲示内容を一時的に表示するための表示シートと、該表示シートに取り付けられたひも状部材とからなり、
前記看板本体と前記表示シートの非表示面の縁の一部とが剥離可能な強粘着剤によって貼着されてなり、かつ前記剥離可能な強粘着剤によって貼着されていない部分を有することを特徴とする臨時看板。
【請求項２】
剥離可能な強粘着剤によって貼着されていない部分が、剥離可能な弱粘着剤を用いて貼着されてなることを特徴とする請求項１記載の臨時看板。
【請求項３】
看板本体と、該看板本体を被覆して該看板本体とは異なる掲示内容を一時的に表示するための表示シートと、ひも状部材とからなり、
前記看板本体と前記表示シートの表示面の縁の一部とが剥離可能な強粘着テープによって貼着されてなり、かつ前記看板本体と前記表示シートの非表示面とが剥離可能な強粘着剤によって貼着されていないことを特徴とする臨時看板。
【請求項４】
看板本体と表示シートの非表示面とが剥離可能な弱粘着剤を用いて貼着されてなることを特徴とする請求項３記載の臨時看板。
【請求項５】
看板本体に、看板本体とは異なる掲示内容を表示してなるひも状部材付き表示シートの非表示面の縁の一部を剥離可能な強粘着剤で貼着するか、もしくは前記ひも状部材付き表示シートの表示面の縁の一部を剥離可能な強粘着テープで貼着し、看板本体を上記表示シートで被覆する方法。
【請求項６】
請求項５載の方法により、看板本体を被覆した後、ひも状部材を引き、表示シートを看板本体から取り外す方法。
【請求項７】
掲示内容を表示してなるシート本体と、剥離可能な強粘着剤層と、剥離可能な弱粘着剤層と、ひも状部材とからなり、前記シート本体の非表示面の縁の一部に剥離可能な強粘着剤層が設けられ、強粘着剤層が設けられていない部分には剥離可能な弱粘着剤層が設けられてなることを特徴とする表示シート。
【請求項８】
掲示内容を表示してなるシート本体と、剥離可能な強粘着剤層と、ひも状部材とからなり、前記シート本体の非表示面の縁の一部に剥離可能な強粘着剤層が設けられ、強粘着剤層が設けられていない部分には粘着剤層が設けられていないことを特徴とする表示シート。
【請求項９】
掲示内容を表示してなるシート本体と、剥離可能な弱粘着剤層と、ひも状部材とからなり、前記シート本体の非表示面に剥離可能な強粘着剤層が設けられてなく、前記シート本体の非表示面に剥離可能な弱粘着剤層が設けられてなることを特徴とする表示シート。
【発明の詳細な説明】
【０００１】
【発明の属する技術分野】
本発明は、屋内外の看板、壁面、広告板等の板状掲示部材本体（以下、看板本体という）を一時的に被覆・隠蔽してなる臨時の看板、及び掲示内容を素早く簡便に変更し得る表示シートで看板本体を一時的に被覆する方法、並びに該被覆に使用するシート部材に関する。詳しくは、建築物の外壁の比較的高所に設置される看板本体や、支柱を用いて比較的高所に設置される看板本体を一時的に被覆・隠蔽してなる臨時の看板、及び看板本体を被覆する方法等に関する。
【０００２】
【従来の技術】
従来から、様々な内容を表示してなる広告板、看板等の板状の掲示物材が様々な形で屋内外に設置されている。昨今、銀行、石油会社、保険会社をはじめ様々な法人が、合併や統合の結果、あるいはいわゆるコーポレイト・アイデンティティー（Ｃ．Ｉ．）の一環として、会社名や銀行名、ロゴマーク、住所等を変更することが多々ある。このような場合、会社名等を表示した屋外看板等の掲示内容を、ある一定の期日に全国一斉に、一気且つ簡便に変更する必要が生じる。また、鉄道等の時刻表もその内容を変更する際には、ある一定の期日に、一気且つ簡便に変更する必要が生じる。
具体的には、看板本体には新掲示内容を表現し、その新掲示内容を所定の期日まで隠し、外面上は旧掲示内容を表示しておき、所定の期日が来たら旧掲示内容を取り払い、新掲示内容を一気にあらわにする必要がある。尚、所定の期日前においては、「旧」掲示内容は「現行」掲示内容と同義である。
【０００３】
このような要求に対し、旧掲示内容を表示してなる再剥離型粘着シートを、新掲示内容を表示してなる看板本体に貼着し、所定の期日になったら、再剥離型粘着シートを掲示部材から剥がし、それまで被覆隠蔽されていた新掲示内容をあらわにする方法が提案され、このような方法が近年、普及してきており、利用されている。
しかしながら、粘着シートを貼り付ける看板や壁面等は、一般的に、地上又は床面よりかなり高所に取り付けられていることが多く、作業者が粘着シートを看板本体から剥がす際に、足場を組んだり高所作業車を使用したりする必要があり、作業性、安全性の面で多くの困難性があった。
【０００４】
そこで、特許文献１：特開平４−１９１８８３号公報には、旧掲示内容を表示してなる再剥離型粘着シートに剥離用のひも類を装着しておき、このひも付き粘着シートを新掲示内容を表示してなる看板本体に貼着し、所定の期日になったら、剥離用のひも類を下方に引き、再剥離型粘着シートを掲示部材から剥がし、それまで被覆隠蔽されていた新掲示内容を簡便にあらわにする方法が提案されている。この方法によれば、新掲示内容を臨時に一定期間被覆・隠蔽し、所定の期日に掲示内容を素早く簡便に変更し、新掲示内容を一気にあらわにするという目的は、一応は達成することができる。
しかし、この方法は、粘着剤にとっては以下のような相反する要求を課せられるものである。即ち、旧掲示内容を表示してなる再剥離粘着シートを看板本体に貼着している期間は、風雨にさらされても粘着シートが看板本体に強固に貼着しつづけ、簡単に剥離したりしてはならない。一方、所定の期日にはひも類を引っ張ることによって簡単に粘着シートが看板本体から剥離しなければならない。貼着期間の強固な貼着を確保しようとすると、所定の期日に簡単に剥離できなかったり、看板本体に粘着剤が残ってしまったり、もしくは無理やり表示シートを剥がすと新掲示内容を表示している看板本体の表面を損傷してしまう。あるいは剥離を重視すると所定の期日前に粘着シートが看板本体から浮き上がったり、剥がれたりする。
【０００５】
そこで、旧掲示内容を表示するシートと看板本体とを再剥離型粘着剤で貼着しない方法が、特許文献２：特開２００２−１９６６８０号に開示された。即ち、ひも状部材付き表示シートにさらにマジックテープ（登録商標）やファスナーを付け、このマジックテープ（登録商標）やファスナーを利用して表示シートで看板本体を多い隠し、所定の期日にはひも状部材を用いて確実に看板本体から表示シートを剥離させる方法である。
しかしながら、この方法は表示シートが完全に看板本体に密着していない事から、表示シートが看板本体から浮いてしまい、外観に難がある。
【０００６】
【特許文献１】
特開平０４−１９１８８３号
【特許文献２】
特開２００２−１９６６８０号
【０００７】
【発明が解決しようとする課題】
本発明は、上記問題に鑑みなされたものであって、会社等の合併や統合の結果、あるいはいわゆるコーポレイト・アイデンティティー（Ｃ．Ｉ．）の一環として、会社名や銀行名、ロゴマーク、住所等を変更する場合に、所定の期日まで新掲示内容を表示してなる新看板本体を一時的に被覆・隠蔽し、再度足場を組むことも高所作業車を使用することもなく、所定の期日に作業性よく安全に、そして一気且つに簡便に旧掲示内容を取り払い、新掲示内容を表示し得る臨時の看板、及び社名等を記載した屋外看板等の板状掲示部材の掲示内容を、足場を組んだり高所作業車を使用したりすることもなく、所定の期日に作業性よく安全に、そして一気且つに簡便に掲示内容を変更し得る方法、並びに上記臨時看板や上記方法に使用し得る被覆・隠蔽用の表示シートを提供することを目的とする。
【０００８】
【課題を解決するための手段】
第１の発明は、看板本体と、該看板本体を被覆して該看板本体とは異なる掲示内容を一時的に表示するための表示シートと、該表示シートに取り付けられたひも状部材とからなり、
前記看板本体と前記表示シートの非表示面の縁の一部とが剥離可能な強粘着剤によって貼着されてなり、かつ前記剥離可能な強粘着剤によって貼着されていない部分を有することを特徴とする臨時看板であり、
第２の発明は、剥離可能な強粘着剤によって貼着されていない部分が、剥離可能な弱粘着剤を用いて貼着されてなることを特徴とする第１の発明に記載の臨時看板である。
【０００９】
第３の発明は、看板本体と、該看板本体を被覆して該看板本体とは異なる掲示内容を一時的に表示するための表示シートと、ひも状部材とからなり、
前記看板本体と前記表示シートの表示面の縁の一部とが剥離可能な強粘着テープによって貼着されてなり、かつ前記看板本体と前記表示シートの非表示面とが剥離可能な強粘着剤によって貼着されていないことを特徴とする臨時看板であり、
第４の発明は、看板本体と表示シートの非表示面とが剥離可能な弱粘着剤を用いて貼着されてなることを特徴とする第３の発明に記載の臨時看板である。
【００１０】
第５の発明は、看板本体に、該看板本体とは異なる掲示内容を表示してなるひも状部材付き表示シートの非表示面の縁の一部を剥離可能な強粘着剤で貼着するか、もしくは前記ひも状部材付き表示シートの表示面の縁の一部を剥離可能な強粘着テープで貼着し、看板本体を上記表示シートで被覆する方法であり、
第６の発明は、第５の発明に記載の方法により、看板本体を被覆した後、ひも状部材を引き、表示シートを看板本体から取り外す方法である。
【００１１】
第７の発明は、掲示内容を表示してなるシート本体と、剥離可能な強粘着剤層と、剥離可能な弱粘着剤層と、ひも状部材とからなり、前記シート本体の非表示面の縁の一部に剥離可能な強粘着剤層が設けられ、強粘着剤層が設けられていない部分には剥離可能な弱粘着剤層が設けられてなることを特徴とする表示シートである。
【００１２】
第８の発明は、掲示内容を表示してなるシート本体と、剥離可能な強粘着剤層と、ひも状部材とからなり、前記シート本体の非表示面の縁の一部に剥離可能な強粘着剤層が設けられ、強粘着剤層が設けられていない部分には粘着剤層が設けられていないことを特徴とする表示シートである。
【００１３】
第９の発明は、掲示内容を表示してなるシート本体と、剥離可能な弱粘着剤層と、ひも状部材とからなり、前記シート本体の非表示面に剥離可能な強粘着剤層が設けられてなく、前記シート本体の非表示面に剥離可能な弱粘着剤層が設けられてなることを特徴とする表示シートである。
【００１４】
【発明の実施の形態】
本発明の臨時看板に用いられる表示シートは、看板本体の掲示内容とは異なる内容をその表面に表示してなるものである。
表示シート本体は、適宜の大きさ及び形状を有するものであって、後述するように何らか手段によって何らかの情報を表示できるものであればよい。例えば、紙，布，プラスチックシート，合成紙や比較的厚みの薄い板状物など、またはこれらを積層してなる積層物が挙げられる。
シート本体は、各材料によって好適な厚みは違うが、０．０１ｍｍ〜３．００ｍｍ程度の範囲が良好であり、特に０．０５ｍｍ〜１．００ｍｍが良好である。また、看板本体を被覆・隠蔽している間に日光、風雨等に曝されること等を考慮し、シート本体は、耐水性，耐汚染性を付与・向上するための表面処理を施すこともできるし、掲示内容を表示し易くするためにシート本体の表面に処理を施すこともできる。
以下に代表的なものを列挙すると、紙としては耐水性や強度を上げる為に両面プラスチックフィルムをラミネートしたもの、布としては横断幕や懸垂幕のように耐水性を付与するために布に樹脂を含浸したもの、プラスチックシートとしては、テント地等に使用される塩化ビニルシート、アクリル系シート，フッ素系シート，ポリエチレンテレフタレート（ＰＥＴ）シート，オレフィンシート、ウレタンシート等が挙げられ、ポリオレフィンシートとしては、ポリエチレンシート、ポリプロピレンシート等が挙げられる。合成紙では、ユポ（王子製紙製：商品名）など印刷適性や強度に優れたものが挙げられる。また比較的厚みの薄い板状物としては、プラスチック板、合板，軽量金属板等が挙げられ、プラスチック板としては、ポリカーボネート板、アクリル板、硬質塩化ビニル板等が挙げられる。
尚、後述するようにシート本体の表面には、何らかの掲示内容が表示されるので、掲示内容を形成し易くするために、シート本体表面には種々の処理を施すこともできる。
【００１５】
シート本体には、何らかの掲示内容が表示される。例えば、社名変更や広告内容の切り替えの場合には、変更・切り替え前、即ち従来通りの旧内容が表示されているものである。所定の期日に看板本体から表示シートを取り外すことによって、シート本体の掲示内容は看板本体の掲示内容に代替されることとなる。従って、シート本体の掲示内容は、看板本体の掲示内容とは異なる。
シート本体の掲示内容は、各種印刷、各種転写、切り文字・図柄等の貼着等の方法によって形成することができる。
各種印刷方式としては、インキジェット印刷、スクリーン印刷、グラビア印刷、オフセット印刷、フレキソ印刷等の他、静電トナーによる方法が挙げられる。各種転写方式としては、感熱転写等が挙げられる。切り文字等の貼着としては、裏面に粘着剤を塗布してなるいわゆるマーキングフィルムやインキジェットフィルムから文字や図柄を切り出し、これをシート本体に貼着する方法が挙げられる。これら複数の手段を併用することもできる。
さらに必要に応じて表示内容を保護するために、表示部分のみもしくは表示面全体に透明性に優れる保護層を塗工やラミネート等の手段で設けることもできる。例えば、アクリル系、ウレタン系、ポリエステル系、フッ素系、シリコン系等の各種トップコート塗料を塗工したり、塩化ビニルフィルム，アクリルフィルム，フッ素フィルム等のフィルムをラミネートすることができる。
【００１６】
第１〜４の発明の臨時看板に用いられる表示シートは、粘着剤層の強弱、設けられている位置等の観点から以下のシートＡ〜Ｄに示すように大きく４つの態様がある。図を例示しながら以下に本発明を説明する。
シートＡ：図１、２に示すように、表示シートの非表示面の縁の一部に剥離可能な強粘着剤層が設けられ、その他の部分即ち剥離可能な強粘着剤層が設けられてはいない部分に剥離可能な弱粘着剤層が設けられているシート。
シートＢ：図３に示すように、上記シートＡと同様に表示シートの非表示面の縁の一部に剥離可能な強粘着剤層が設けられているが、その他の部分には粘着剤層が設けられてはいないシート。
シートＣ：図４に示すように、表示シートの非表示面には剥離可能な強粘着剤層が設けられてなく、剥離可能な弱粘着剤層が設けられているシート。
シートＤ：表示シートの非表示面には粘着剤層が一切設けられてはいないシート。
尚、本発明にいう表示シートの非表示面とは、表示面、即ち旧掲示内容を表示する面の反対面（裏面、背面）をいう。
【００１７】
シートＡについてさらに詳細に説明する。
図１の（Ａ−１）〜（Ａ−３）、図２の（Ａ−４）は、表示シートが長方形の場合を例示する。これらは、長方形の表示シートの非表示面の少なくとも１辺の縁に剥離可能な強粘着剤層が設けられ、その他の部分には剥離可能な強粘着剤層が設けられている。図２の（Ａ−４）に示すように剥離可能な強粘着剤層がストライプ状に設けられていてもよい。図１の（Ａ−１）〜（Ａ−３）に示す態様が好ましい。
さらに看板本体の被覆面は長方形に限られるものではないので、これを被覆するための表示シートも長方形に限られることはなく、看板本体の被覆面の形状に応じ、楕円形、円形、三角形、五角形、六角形等種々の形状のものが挙げられる。図２の（Ａ−５）は、楕円形の中央部に長方形の弱粘着剤層が設けられ、その外側に強粘着剤層が設けられている。
【００１８】
図１、２に示すように表示シートの非表示面の縁部即ち周辺部に強粘着剤層を設けた場合、表示シートの非表示面の全面に強粘着剤層を設けた場合に比して、強粘着剤層の占める面積が小さいので、剥離時の抵抗を小さくすることができる。また、表示シートの非表示面の中央部に弱粘着剤層を設けることによって、貼着期間中表示シートと看板本体との一体感が向上し、美しい外観仕上がりが得られる。
例えば、表示シートの非表示面の全面に強粘着剤層が設けられていると、貼着期間中には看板本体から表示シートが剥離したりしないものの、ひも状部材による剥離時には、貼着が強過ぎて満足に剥離できない。また逆に表示シートの非表示面の全面に弱粘着剤層が設けられていると、剥離時には簡単に剥離する事ができるものの、貼着期間内の確実かつ強固な貼着状態を確保することができず、風雨にさらされ、看板本体から表示シートが剥離してしまう。
【００１９】
本発明でいう剥離可能な強粘着剤層とは、ＪＩＳ  Ｚ  ０２３７による剥離強度が、０．５ｋｇ／２５ｍｍ以上、２ｋｇ／２５ｍｍ以下のものをいい、０．８ｋｇ／２５ｍｍ以上、１．５ｋｇ／２５ｍｍ以下であることが好ましく、アクリル系，シリコーン系，ウレタン系，ゴム系等種々の組成の粘着剤を用いて形成することができる。剥離強度が０．５ｋｇ／２５ｍｍ未満であると看板本体を被覆していなければならない期間（貼着期間）中に表示シートが、看板本体から浮き上がったり剥離してしまう可能性がある。他方、剥離強度が２ｋｇ／２５ｍｍよりも大きいと、その後の剥離が難しくなる。
【００２０】
また、本発明でいう剥離可能な弱粘着剤層とは、強粘着剤層の場合と同様に組成的には特に限定されず、アクリル系，シリコーン系，ウレタン系，ゴム系種々の粘着剤を用いて形成され得るものであり、ＪＩＳ  Ｚ  ０２３７による剥離強度が、１ｇ／２５ｍｍ以上、１００ｇ／２５ｍｍ以下のものであり、１ｇ／２５ｍｍ以上、５０ｇ／２５ｍｍ以下のものが好ましい。剥離強度が１ｇ／２５ｍｍよりも小さいと、弱粘着剤層を設けた効果がほとんど期待できず、貼着期間中の看板本体と表示シートとの一体感が損なわれやすい。
他方、剥離強度が１００ｇ／２５ｍｍよりも大きいと表示シートを看板本体から剥がす際の抵抗が大きくなり、剥離が困難になる。
【００２１】
強粘着剤層と弱粘着剤層とを表示シートＡの非表示面に設ける方法としては、特に限定はない。例えば、工程剥離シート上に部分的に一方の粘着剤、即ち強（又は弱）粘着剤を塗布、乾燥し、これを表示シートＡの非表示面に貼り合わせた後、前記工程剥離シートを剥がし、強（又は弱）粘着剤層を非表示面に転移させ、別途別の剥離シート上に部分的にもう一方の粘着剤、即ち弱（又は強）粘着剤を塗布、乾燥し、先に得ておいた表示シートＡの非表示面の強（又は弱）粘着剤層を設けていない部分にこれを張り合わせる方法や、ダイヘッドのような部分的に粘着剤を吐出できる装置を用い、表示シートＡの非表示面に直に各粘着剤を吐出する方法等が挙げられる。
【００２２】
図１、２では、剥離用のひも状部材は省略したが、表示シートＡには剥離用のひも状部材が１本以上装着される。
剥離用のひも状部材としては、貼り合わせている一定期間中に劣化せず、剥離時の引っ張り強度に耐えうるものであれば、素材、形状等に限定はなく、どのようなものでも構わない。具体的には布製ひも・布製平状ひものような布製ひもやロープ、ポリプロピレン製（以下、ＰＰという）バンドやＰＰひものようなプラスチック製のひも、金属製ワイヤーやチェーン等種々のものが挙げられ、特に限定されない。
また、ひも状部材を表示シートへ装着する手段としては、粘着テープでの固定や縫製、熱溶着、ホック（スナップ）止め等種々の手段が挙げられ、適宜選択することができる。
ひも状部材の装着箇所は、表示シートの大きさ、強粘着剤層の位置・面積・数、ひも状部材の本数等を考慮し、ひも状部材を下から引っ張った際に表示シートを看板本体から剥がし易い位置に付いていればよい。例えば、図１の（Ａ−１）の場合、表示シートＡの上部のコーナー部に１本づつ付けたり、図１の（Ａ−２）の場合、１本のひも状部材を表示シートＡの上部の１辺に付けたりすることができる。これらは、剥離に際し表示シートの鉛直線方向の両端に位置する強粘着剤層を効率的に剥離できる。
尚、ひも状部材の装着箇所、ひも状部材の端部の処理方法、表示シートの剥離方法等は、特許文献１に開示されると同様である。
【００２３】
次に表示シートＢについて説明する。
表示シートＢは、図３に示すように前述の表示シートＡの中央部の弱粘着部の代わりにその部位を非粘着部にしたタイプである。それ以外の要素、例えばシート本体の素材、掲示内容の表示方法、強粘着剤の例示、ひも状部材の付け方等は粘着シートＡと何ら変わらない。
中央部に非粘着部がある事から、中央部は看板本体に付着しない。従って、非粘着部ができるだけたるまないように表示シートを引っ張りながら、縁の強粘着部を看板本体に貼りつける事が望ましい。
【００２４】
次に表示シートＣについて説明する。
表示シートＣは、前述の表示シートＡ，Ｂとは異なり、非表示面には強粘着剤層が設けられてなく、代わりに弱粘着剤層が設けられている。弱粘着剤層は、図４に示すように非表示面の全面にわたって設けられていることが好ましい。
前述したように弱粘着剤層で表示シートの非表示面と看板本体とを貼着した場合、剥離時には非常に簡単に剥離する事ができるが、貼着している一定期間中に風雨にさらされ剥離する可能性がある。そこで、表示シートＣを用いる場合には、図５、６に示すように表示シートＣの表示面の縁を再剥離型の強粘着テープで看板本体に固定する。
ここに使うシート本体の素材、掲示内容の表示方法、弱粘着剤の例示等は粘着シートＡと何ら変わらない。
【００２５】
表示シートＣの貼着の際に用いられる再剥離型の強粘着テープは、粘着シートＡの場合に示したと同様の強粘着剤を用いて形成した強粘着テープである。
強粘着テープの基材としては、表示シートＡのシート本体の素材として例示したものが同様に例示でき、剥離時に破れないものが望ましい。具体的には布，テント地，繊維が入ったターポリン，ポリエチレン超極細繊維シート（商品名タイベック：デュポン製）のような繊維の入ったものや、未延伸の塩化ビニル、ポリオレフィン、フッ素フィルムのように引き裂き強度の非常に強いものが使用される。
この強粘着テープの幅は、表示シートＣを固定するに充分の粘着力を発揮する幅が望ましい。例えば、２５ｍｍ以上３００ｍｍ以下程度の幅であることが好ましい。２５ｍｍ未満であると表示シートＣを看板本体に充分に固定することが難しくなり、また３００ｍｍを越える場合は剥離が困難になる。
【００２６】
表示シートＣには、表示部材Ａの場合と同様に表示シート本体に種々の方法で剥離用のひも状部材を装着することもできるし、あるいは図７に示すように貼着の際に、強粘着テープと表示シートＣの表示面との間に挟み込んだり、図８に示すように貼着の際に、強粘着テープと看板本体との間に挟み込むのこともでき、図７に示す方法が好適である。このひも状部材としては、前述の表示部材Ａの場合と同様のものを適宜もちいることができる。
【００２７】
次に表示シートＤを用いる場合について説明する。
表示シートＤは、表示シートＣの弱粘着剤が無いものである。この表示シートＤは、表示シートＣの場合と同様に非表示面の縁を強粘着テープで看板本体に貼着して用いる。
【００２８】
次に本発明の臨時看板について説明する。
高所に設置されている看板本体の掲示内容を新しく表示した後に、その表示面を覆うように上記表示シートＡ〜Ｄを貼着し使用し、臨時看板を得ることができる。本発明でいう看板本体としては、建築物の外壁の高所に突出するように設置された形態のもの、支柱の高所に設置された形態のもの、地面に設置された柱状のものが例示される他、建築物の外壁に直接何らかの掲示内容が表示されている場合には、その外壁自体も看板本体という。
【００２９】
【実施例】
以下、図面を参照して、本発明をより具体的に説明する。
〔実施例１〕
＜看板本体＞
ビルの２Ｆの高さに位置している、乳白色のアクリル板製の縦（高さ）５ｍ横（幅）１ｍの袖看板。表面に塩化ビニル製のマーキングフィルムのカッティング文字で「東洋インキ製造（株）」と表示されている（図９の（１））。
【００３０】
＜表示シート＞
長さ５ｍ幅１ｍのポリエチレン超極細繊維シート（商品名タイベック：デュポン製）を用い、幅１ｍのシートに右側と左側の両サイド端から１０ｃｍの部分に強粘着剤（オリバイン  ＢＰＳ５６３６：東洋インキ製造（株）製）を縁に対しほぼ平行になるように塗工し、更に中央部の８０ｃｍには弱粘着剤（サイアバイン  ＳＨ１０１：東洋インキ製造（株）製）を塗工し、図１の（Ａ−１）に示すような粘着面を呈する粘着シートを作成した。尚、粘着剤の塗工は、工程剥離紙を介した転写法を用いて実施した。
別途「工事中」の文字を塩化ビニル製のマーキングフィルム（片面に粘着剤層が設けられている）のカッティング文字で作成し、これを上記粘着シートの非粘着塗工面に貼り、「工事中」の文字を表示した。
さらに、粘着シートを構成するポリエチレン超極細繊維シートの上端の２隅からひもの両端が十分長く出るように前記シートの上縁部に平状の布ひもをしっかりと縫製・固定し、表示シートＡを作成した。
尚、ここで強粘着部の剥離力は１ｋｇ／２５ｍｍの強度であり、また弱粘着部の剥離力は１０ｇ／２５ｍｍの強度であった。
【００３１】
＜臨時看板＞
「東洋インキ製造（株）」と表示した看板本体の表示面に、スキージを用いて上記表示シートＡの粘着面を貼り合わせ、臨時看板とした（図９の（２））。
尚、看板上部から垂れ下がる２本のひもについては悪戯されないように大人がやっと手が届く地上２ｍの部分に固定した（図示省略）。
【００３２】
３ヶ月後に臨時看板の表面を確認した所、剥離は認められなかった。
次に固定したひもをほどき、表示シートの上端両隅から垂れ下がるひもを地上からひいて剥離作業を行った結果、表示シートＡの剥離はスムーズにでき、看板本体の表示面にも粘着剤は残っていなかった。
【００３３】
〔実施例２〕
＜表示シート＞
実施例１で用いたと同様のポリエチレン超極細繊維シートを用い、幅１ｍのシートの右側と左側の両サイド端から１０ｃｍの部分に強粘着剤（オリバイン  ＢＰＳ５６３６：東洋インキ製造（株）製）を縁にほぼ平行になるように塗工し、更に中央部の８０ｃｍには何も粘着剤を塗工せず、粘着シートを作成した（図３の（Ｂ−１）参照）。尚、粘着剤の塗工は工程紙を介した転写法を用いて実施した。
別途「工事中」の文字を塩化ビニル製のマーキングフィルム（片面に粘着剤層が設けられている）のカッティング文字で作成し、これを上記粘着シートの非粘着塗工面に貼り、「工事中」の文字を表示した。
さらに、粘着シートを構成するポリエチレン超極細繊維シートの上端の２隅からひもの両端が十分長く出るように前記シートの上縁部に平状の布ひもをしっかりと縫製・固定し、表示シートＢを作成した。
尚、ここで強粘着部の剥離力は１ｋｇ／２５ｍｍの強度であった。
【００３４】
＜臨時看板＞
実施例１で用いたものと同様の「東洋インキ製造（株）」と表示した看板本体の表示面に、スキージを用いて上記表示シートＢの粘着面を貼り合わせ、臨時看板とした（図９の（２））。
尚、看板上部から垂れ下がる２本のひもについては悪戯されないように大人がやっと手が届く地上２ｍの部分に固定した（図示省略）。
【００３５】
３ヶ月後に臨時看板の表面を確認した所、非粘着部である中央部にややたるみが発生していたが、剥離は認められなかった。
次に固定したひもをほどき、表示シート上端両隅から垂れ下がるひもを地上からひいて剥離作業を行った結果、表示ートＢの剥離はスムーズにでき、看板本体の表示面にも粘着剤は残っていなかった。
【００３６】
〔実施例３〕
＜看板本体＞
ビルの２Ｆの高さに位置している、繊維の編み込んである塩化ビニル製のフレキシブルフェイス（ヌール社製  ＳＵＦ）の縦（高さ）７ｍ横（幅）１ｍの袖看板。表面に塩化ビニル製のマーキングフィルムのカッティング文字で「東洋インキ製造（株）」と表示されている（図９の（１））。
【００３７】
＜表示シート＞
ポリプロピレン系シート（出光石油化学製：ピュアソフティ）を用い、長さ約７ｍ幅９０ｃｍのシートの全面に、剥離力が１０ｇ／２５ｍｍの弱粘着剤（サイアバイン  ＳＨ１０１：東洋インキ製造（株）製）を塗工し、粘着シートを作成した。
この粘着シートの非粘着塗工面に「工事中」の文字をシルクスクリーン印刷で表示した。
さらに、粘着シートを構成するポリプロピレンシートの上端部に平状のＰＰバンド１本をその両端がシートから十分長く出るように熱融着・固定し、表示シートＣを作成した。
【００３８】
＜強粘着テープ＞
幅１０ｃｍ長さ約７ｍのポリエチレン超極細繊維の細幅フィルムに、剥離力が１ｋｇ／２５ｍｍの強粘着剤（オリバイン  ＢＰＳ５６３６：東洋インキ製造（株）製）を塗工し、前記フィルムの少なくとも一方の端からひもが十分長く出るように、粘着剤層上から平状の布ひもを前記フィルムにしっかりと縫製・固定し、ひも付き強粘着テープを作成した。
【００３９】
＜臨時看板＞
「東洋インキ製造（株）」と表示した看板本体の表示面のほぼ中央に、スキージを用いて上記表示シートＣの粘着面を貼り合わせ、表示シートの右端と左端のそれぞれに上記ひも付き強粘着テープを貼り合わせ固定した。その際、左右両端のひも付き強粘着テープは、テープ幅に半分の約５ｃｍは看板本体に、テープ幅の残り約５ｃｍは表示シートＣにかかるように、かつひもの端が表示シート上部両隅から垂れるようにして、看板本体に表示シートＣを固定し、臨時看板とした（図６の（Ｃ−５）及び図１０参照。尚、図１０ではひもの図示省略）。
尚、表示シートの上端隅から垂れ下がるひも及び下端隅から垂れ下がるひもの６つの端は実施例１と同様にして固定した。
３ヶ月後に臨時看板の表示面を確認した所、剥離は認められなかった。
固定していたひもをほどき、表示シートの上端両隅から垂れ下がるひもを地上からひいて剥離作業を行った結果、粘着シートＣはスムーズに剥離でき、看板本体の表示面にも粘着剤は残っていなかった。
【００４０】
〔実施例４〕
＜表示シート＞
「工事中」の文字を塩化ビニル製のマーキングフィルム（片面に粘着剤層が設けられている）のカッティング文字で作成し、これを実施例３で用いたポリプロピレン系シートの一方の面に貼り付けた。
また、ポリプロピレン系シートの上端の２隅からひもの両端が十分長く出るように前記シートの上縁部に平状の布ひもをしっかりと縫製・固定し、表示シートＤを作成した。尚、表示シートＤの非表示面には粘着剤層は設けられてはいない。
【００４１】
＜臨時看板＞
「東洋インキ製造（株）」と表示した看板本体の表示面のほぼ中央、上記表示シートＤの非表示面を看板本体に対向接触させ、表示シートの右端と左端のそれぞれを実施例３で用いたのと同様のひも付き強粘着テープ用いて、看板本体に貼り合わせ固定した。その際、左右両端のひも付き強粘着テープは、テープ幅に半分の約５ｃｍは看板本体に、テープ幅に残り約５ｃｍは表示シートＣにかかるように、かつひもの端が表示部材上部両隅から垂れるようにして、看板本体に表示シートＤを固定し、臨時看板とした（図１０参照。ひもは図示省略）。
尚、表示シートの上端両隅から垂れ下がるひも及び下端両隅から垂れ下がるひもの６つの端は実施例１と同様にして固定した。
３ヶ月後に臨時看板の表示面を確認した所、非粘着部である中央部にややたるみが発生していたが、表示シートの左右の剥離は認められなかった。
次に固定したひもをほどき、表示シート上端両隅から垂れ下がるひもを地上からひいて強粘着テープを剥離したところ、スムーズに剥離でき、表示ートＤも同時に剥離できた。
【００４２】
〔比較例１〕
実施例１で用いたものと同様のポリエチレン超極細繊維シートの全面に剥離力が１ｋｇ／２５ｍｍの強粘着剤（オリバイン  ＢＰＳ５６３６：東洋インキ製造（株）製）を塗工した以外は実施例１と同様にして、表示シートを得、実施例１と同様にして該表示シートを看板本体に貼着し、臨時看板を作った。
３ヶ月後に臨時看板の表示面を確認した所、剥離は認められなかった。
次に固定したひもをほどき、地上からひもをひいて剥離作業を行った結果、かなりの力でも粘着シートは剥離できず、ひもを縫製した部分で粘着シートが破れ、剥離は出来なかった。
【００４３】
〔比較例２〕
比較例１で用いた強粘着剤の代わりに、剥離力が１０ｇ／２５ｍｍの弱粘着剤（サイアバイン  ＳＨ１０１：東洋インキ製造（株）製）を用いた以外は比較例１と同様にして、非表示面の全面に弱粘着剤層が設けられた表示シートを得、比較例１と同様にして該表示シートを看板本体に貼着し、臨時看板を作った。
３ヶ月後に臨時看板の表示面を確認した所、既に全て剥離してしまい、本来まだ見えてはならない看板本体の表示面が見えていた。
【００４４】
【発明の効果】
本発明により、会社等の合併や統合の結果、あるいはいわゆるコーポレイト・アイデンティティー（Ｃ．Ｉ．）の一環として、会社名や銀行名、ロゴマーク、住所等を変更する場合に、高所に設置され、所定の期日まで新掲示内容を表示してなる新看板本体を一時的に被覆・隠蔽し、再度足場を組んだり高所作業車を使用したりすることもなく、所定の期日に一気且つ簡便に旧掲示内容を取り払い、新掲示内容を表示し得るようになった。
【００４５】
【図面の簡単な説明】
【図１】表示シートＡの非表示面の代表的な実施態様を示す図。
【図２】表示シートＡの非表示面のその他の実施態様を示す図。
【図３】表示シートＢの非表示面の代表的な実施態様を示す図。
【図４】表示シートＣの非表示面の代表的な実施態様を示す図。
【図５】表示シートＣの表示面側の代表的な実施態様を示す図。
【図６】表示シートＣの表示面のその他の実施態様を示す図。
【図７】表示シートＣを用いる場合のひも状部材の代表的位置を示す図。
【図８】表示シートＣを用いる場合のひも状部材の他の位置を示す図。
【図９】看板本体、臨時看板及び表示シート剥離時の代表的な実施態様を示す図。
【図１０】シートＣもしくはＤ及び強粘着テープを用いた場合の臨時看板の代表的な実施態様を示す図。
【符号の説明】
１．弱粘着部
２．強粘着部
３．非粘着部
４．強粘着テープ
５．ひも状部材
６．表示シートの表示面
７．表示シートＣ
８．看板本体
【図１】
2004157264.tif 000003
【図２】
2004157264.tif 000004
【図３】
2004157264.tif 000005
【図４】
2004157264.tif 000006
【図５】
2004157264.tif 000007
【図６】
2004157264.tif 000008
【図７】
2004157264.tif 000009
【図８】
2004157264.tif 000010
【図９】
2004157264.tif 000011
【図１０】
2004157264.tif 000012